(57)【要約】【課題】ユーザの利便性の向上を図ることができる、画像読取装置を提供する。【解決手段】ユーザによりスキャンデータの複数の送信先を指定する操作が行われると、その指定の順番に送信先を順序づけた送信先リストが作成される。ＵＳＢメモリが送信先に含まれない場合には（Ｓ１４：ＮＯ）、送信先リストから送信先の指定先の順番が特定されて、スキャンデータがその特定された順番に従って複数の送信先に送信される（Ｓ１６）。一方、ＵＳＢメモリが送信先に含まれる場合には（Ｓ１４：ＹＥＳ）、スキャンデータは、送信先リストから特定される順番にかかわらず、まず、ＵＳＢメモリに送信され（Ｓ１５）、その後、ＵＳＢメモリ以外の送信先に送信される（Ｓ１６）。【選択図】図３
2019087928.tif 000002
【特許請求の範囲】
【請求項１】
画像を読み取る読取部と、
外部メモリを接続可能な第１インタフェースと、
外部通信装置と通信可能なネットワークに接続される第２インタフェースと、
操作を受け付ける操作部と、
制御部と
を備え、
前記制御部は、
前記読取部により読み取られた画像データの複数の送信先を指定する操作を前記操作部に受け付ける場合に、操作による送信先の指定の順番を特定する順番特定処理と、
前記読取部を制御して、前記読取部に画像を読み取らせる読取処理と、
前記外部メモリが送信先に含まれない場合、前記読取処理で読み取られた画像データを、前記順番特定処理で特定した順番に従って、前記第２インタフェースを介して送信先に送信する第１送信処理と、
前記外部メモリが送信先に含まれる場合、前記順番特定処理で特定した順番にかかわらず、前記読取処理で読み取られた画像データを、前記第１インタフェースを介して前記外部メモリに送信した後、前記第２インタフェースを介して前記外部メモリ以外の送信先に送信する第２送信処理と
を実行する、
画像読取装置。
【請求項２】
請求項１に記載の画像読取装置であって、
記憶部を備え、
前記読取処理は、前記読取部に読み取らせた画像を前記記憶部に記憶させ、
前記制御部は、
前記外部メモリが送信先に含まれる場合、前記読取処理と前記第２送信処理とを並行して実行し、すべての画像データの前記外部メモリへの送信が完了した後、前記外部メモリ以外の送信先に前記記憶部に記憶した画像データを送信し、
前記外部メモリが送信先に含まれない場合、前記読取処理が完了した後、前記第１送信処理を開始する、
画像読取装置。
【請求項３】
請求項１または２に記載の画像読取装置であって、
表示部
をさらに備え、
前記制御部は、
前記読取処理の実行中は、画像読取中であることを表す読取実行中画面を前記表示部に表示させ、
前記読取処理で読み取られた画像データを前記外部メモリ以外の送信先に前記第２インタフェースを介して送信中は、前記操作部に操作を受付可能である待機画面を前記表示部に表示させ、
前記読取処理で読み取られた画像データを前記外部メモリに前記第１インタフェースを介して送信中は、前記外部メモリに画像データを保存中であることを表すメモリ保存中画面を前記表示部に表示させる、
画像読取装置。
【請求項４】
請求項３に記載の画像読取装置であって、
前記制御部は、
前記第１インタフェースに複数の前記外部メモリが接続されている場合には、それぞれの前記外部メモリにおける画像データの保存状況を前記表示部に表示させる、
画像読取装置。
【発明の詳細な説明】
【技術分野】
【０００１】
本発明は、原稿などの画像を読み取る画像読取装置に関する。
【背景技術】
【０００２】
画像読取装置の中には、たとえば、ＵＳＢ（Universal Serial Bus）インタフェースおよびＬＡＮ（Local Area Network）インタフェースを備えるものがある。この画像読取装置では、読み取った画像データを、ＵＳＢインタフェースに接続されたＵＳＢメモリに送信することができ、また、ＬＡＮインタフェースに接続されたＬＡＮ経由でＰＣ（Personal Computer）などの外部処理端末に送信することができる。特許文献１では、予め決定された優先度に従った送信先に画像データを送信する技術が提案されている。
【先行技術文献】
【特許文献】
【０００３】
【特許文献１】特開２０１３−１４６００５号公報
【発明の概要】
【発明が解決しようとする課題】
【０００４】
画像データが複数の送信先に順番に送信される場合、最初の送信先に画像データが送信されるタイミングと最後の送信先に画像データが送信されるタイミングとに時間差が生じる。そのため、その時間差を考慮して優先度が設定されていないと、ユーザの利便性を向上できない場合がある。
【０００５】
本発明の目的は、ユーザの利便性の向上を図ることができる、画像読取装置を提供することである。
【課題を解決するための手段】
【０００６】
前記の目的を達成するため、本発明に係る画像読取装置は、画像を読み取る読取部と、外部メモリを接続可能な第１インタフェースと、外部通信装置と通信可能なネットワークに接続される第２インタフェースと、操作を受け付ける操作部と、制御部とを備え、制御部は、読取部により読み取られた画像データの複数の送信先を指定する操作を操作部に受け付ける場合に、操作による送信先の指定の順番を特定する順番特定処理と、読取部を制御して、読取部に画像を読み取らせる読取処理と、外部メモリが送信先に含まれない場合、読取処理で読み取られた画像データを、順番特定処理で特定した順番に従って、第２インタフェースを介して送信先に送信する第１送信処理と、外部メモリが送信先に含まれる場合、順番特定処理で特定した順番にかかわらず、読取処理で読み取られた画像データを、第１インタフェースを介して外部メモリに送信した後、第２インタフェースを介して外部メモリ以外の送信先に送信する第２送信処理とを実行する。
【０００７】
この構成によれば、ユーザにより画像データの複数の送信先を指定する操作が行われると、その操作による送信先の指定の順番が特定される。そして、外部メモリが送信先に含まれない場合には、読取部により読み取られた画像データが特定された順番に従って複数の送信先に送信される。一方、外部メモリが送信先に含まれる場合には、読取部により読み取られた画像データは、特定された順番にかかわらず、外部メモリに送信され、その後、外部メモリ以外の送信先に送信される。そのため、読取部による画像の読み取りから短時間で、その読み取られた画像データの外部メモリへの送信が完了し、その画像データが保存された外部メモリをユーザが持ち去ることができる。その結果、画像データが外部メモリに保存されるまで、ユーザが画像読取装置から離れられずに長時間待たされることを抑制できる。したがって、ユーザの利便性の向上を図ることができる。
【発明の効果】
【０００８】
本発明によれば、ユーザの利便性の向上を図ることができる。
【図面の簡単な説明】
【０００９】
【図１】本発明の実施形態に係るＭＦＰの電気的構成を示すブロック図である。
【図２】画像データの送信先を指定する際の画面の遷移例を示す図である。
【図３】第１実施形態に係るスキャン処理の流れを示すフローチャートである。
【図４】第１実施形態に係るスキャン処理時の画面の遷移例を示す図である。
【図５】第２実施形態に係るスキャン処理の流れを示すフローチャートである。
【図６】第２実施形態に係るスキャン処理時の画面の遷移例を示す図である。
【発明を実施するための形態】
【００１０】
以下では、本発明の実施の形態について、添付図面を参照しつつ詳細に説明する。
【００１１】
１．第１実施形態
＜ＭＦＰの電気的構成＞
図１に示されるＭＦＰ（Multi-Function Peripheral）１は、スキャン機能、プリント機能、コピー機能およびファクシミリ機能を有する電子機器である。スキャン機能は、画像の読み取り（スキャン）により画像データを生成する機能である。プリント機能は、画像データに係る画像をシートに形成する機能である。コピー機能は、スキャン機能とプリント機能との組合せにより実現される機能であり、画像を読み取ってその画像をシートに印刷する機能である。ファクシミリ機能は、画像データを公衆電話回線を介して送受信する機能である。
【００１２】
ＭＦＰ１は、スキャン機能のための画像読取部１１（読取部の一例）と、プリント機能のための画像形成部１２とを備えている。
【００１３】
画像読取部１１による画像読取の方式は、シートを搬送しつつそのシートの画像を読み取るＡＤＦ（Auto Document Feeder）方式であってもよいし、コンタクトガラス上に載置されたシートの画像を読み取るＦＢ（Flat Bed）方式であってもよい。
【００１４】
画像形成部１２による画像形成の方式は、電子写真方式であってもよいし、インクジェット方式であってもよい。また、シートに形成される画像は、カラー画像であってもよいし、モノクロ画像であってもよい。
【００１５】
また、ＭＦＰ１は、操作パネル１３を備えている。操作パネル１３には、操作部１４および表示部１５が設けられている。
【００１６】
操作部１４は、操作キー（たとえば、スタートキー、テンキー、カーソルキー、戻るキー）を備えている。操作キーの操作により、各種の指示などが操作部１４に受け付けられる。
【００１７】
表示部１５は、たとえば、液晶ディスプレイからなる。
【００１８】
なお、操作部１４および表示部１５は、タッチパネルを構成していてもよい。タッチパネルを構成する表示部１５には、各種の情報や操作ボタンなどの画像が表示される。ユーザが表示部１５に表示される操作ボタンを押操作（タッチ操作）することにより、そのタッチ操作された操作ボタンの種類に応じた指示が操作部１４に受け付けられる。操作部１４に指示が受け付けられると、その指示の内容に応じた信号（データ）が操作部１４から出力される。以下では、操作部１４および表示部１５がタッチパネルを構成する場合を取り上げる。
【００１９】
また、ＭＦＰ１は、ＬＡＮインタフェース（Ｉ／Ｆ）１６、ＦＡＸインタフェース（Ｉ／Ｆ）１７およびＵＳＢ（Universal Serial Bus）インタフェース（Ｉ／Ｆ）１８および制御部１９を備えている。
【００２０】
ＬＡＮインタフェース１６（第２インタフェースの一例）は、ＰＣ（Personal Computer）などの外部装置とのＬＡＮ（Local Area Network）を介したデータ通信のためのインタフェースである。通信の方式は、無線通信方式であってもよいし、有線通信方式であってもよい。
【００２１】
ＦＡＸインタフェース１７は、ファクシミリ通信に使用される公衆電話回線との接続のためのインタフェースであり、ＮＣＵ（Network Control Unit）を内蔵したモデムなどを備えている。
【００２２】
ＵＳＢインタフェース１８（第１インタフェースの一例）は、ＵＳＢメモリ２０などのＵＳＢデバイスとのデータ通信のためのインタフェースである。ＵＳＢインタフェース１８には、ＵＳＢデバイスを接続するためのポートが設けられている。なお、本実施形態では、ＵＳＢインタフェース１８には、２つのポートが設けられている。ＭＦＰ１は、ＵＳＢインタフェース１８を介して、外部装置との間でデータ通信を行ってもよい。
【００２３】
制御部１９は、ＡＳＩＣ（Application Specific Integrated Circuit）２１、ＲＯＭ（Read Only Memory）２２およびＲＡＭ（Random Access Memory）２３を備えている。
【００２４】
ＡＳＩＣ２１には、ＲＯＭ２２およびＲＡＭ２３以外に、画像読取部１１、画像形成部１２、操作部１４、表示部１５、ＬＡＮインタフェース１６、ＦＡＸインタフェース１７およびＵＳＢインタフェース１８が接続されている。
【００２５】
ＡＳＩＣ２１は、ＣＰＵ２４（制御部の一例）を内蔵している。ＣＰＵ２４は、ＡＳＩＣ２１に入力される信号などに基づいて、ＲＯＭ２２に記憶されているプログラムを実行することにより、画像読取部１１、画像形成部１２、操作部１４、表示部１５、ＬＡＮインタフェース１６、ＦＡＸインタフェース１７およびＵＳＢインタフェース１８を含む各部を制御する。
【００２６】
ＲＯＭ２２は、フラッシュメモリなどの書き換え可能な不揮発性メモリからなる。ＲＯＭ２２には、ＣＰＵ２４によって実行されるプログラムおよび各種のデータなどが記憶されている。
【００２７】
ＲＡＭ２３は、ＤＲＡＭ（Dynamic Random Access Memory）などの揮発性メモリであり、ＣＰＵ２４がプログラムを実行する際のワークエリアとして使用される。
【００２８】
＜スキャンジョブ＞
ＭＦＰ１の電源がオンであり、ジョブが実行されてない状態では、図２に示されるように、操作パネル１３の表示部１５に待機画面の一例であるメニュー画面３０が表示される。メニュー画面３０には、スキャン機能を使用するスキャンジョブを選択するスキャン選択ボタン３１と、ファクシミリ機能を使用するファクシミリジョブを選択するファクシミリ選択ボタン３２と、コピー機能を使用するコピージョブを選択するコピー選択ボタン３３とが含まれる。スキャン選択ボタン３１、ファクシミリ選択ボタン３２およびコピー選択ボタン３３のうちの１つのボタンがユーザによって押されることにより、そのボタンに対応するジョブの選択が操作パネル１３の操作部１４に受け付けられる。
【００２９】
メニュー画面３０において、スキャン選択ボタン３１、ファクシミリ選択ボタン３２およびコピー選択ボタン３３は、横並びに配置されており、スキャン選択ボタン３１、ファクシミリ選択ボタン３２およびコピー選択ボタン３３の上方には、テキストメッセージが表示されるテキストボックス３４が配置されている。
【００３０】
ＭＦＰ１では、画像読取部１１によって読み取られた画像データ（以下、「スキャンデータ」という。）の送信先として、ＬＡＮに接続されたＰＣなどの外部装置、ＬＡＮまたはインターネット上のＦＴＰサーバ、およびＵＳＢインタフェース１８に接続されたＵＳＢメモリ２０（図１参照）を指定することができる。
【００３１】
メニュー画面３０でスキャン選択ボタン３１が押されると、表示部１５の表示がメニュー画面３０から送信先指定画面４０に切り替わる。送信先指定画面４０には、たとえば、送信先指定ボタンとして、２つの外部装置指定ボタン４１，４２、１つのＦＴＰサーバ指定ボタン４３および２つのＵＳＢ指定ボタン４４，４５が含まれる。外部装置指定ボタン４１，４２には、それぞれＬＡＮに接続された外部装置のＩＰ（Internet Protocol）アドレスが予め対応づけて設定されている。ＦＴＰサーバ指定ボタン４３には、ＦＴＰサーバのＵＲＬ（Uniform Resource Locator）が予め対応づけて設定されている。ＵＳＢ指定ボタン４４，４５には、それぞれＵＳＢインタフェース１８に設けられている接続ポートが予め対応づけて設定されている。
【００３２】
送信先指定ボタンが選択的に押されると、その押された送信先指定ボタンに対応づけて設定されている送信先がスキャンデータの送信先として指定される。指定された送信先は、ＡＳＩＣ２１のＣＰＵ２４により、ＲＡＭ２３に保存される。
【００３３】
スキャンデータの送信先は、１つに限らず、複数指定することもできる。ユーザは、複数の送信先を指定する場合、指定したい送信先に対応する送信先指定ボタンを１つずつ順に押していく。この操作がなされると、ＡＳＩＣ２１のＣＰＵ２４により、指定された複数の送信先が送信先リストとしてＲＡＭ２３に保存される。送信先リストでは、複数の送信先が指定された順番に順序づけられている。
【００３４】
＜スキャン処理＞
ユーザにより送信先の指定が行われると、ＡＳＩＣ２１のＣＰＵ２４により、図３に示されるスキャン処理が開始される。
【００３５】
スキャン処理では、ＣＰＵ２４は、スキャン開始ボタンが押されることによるスキャン開始指示が操作パネル１３の操作部１４に受け付けられたか否かを判別する（Ｓ１１）。
【００３６】
スキャン開始指示が操作部１４に受け付けられると（Ｓ１１：ＹＥＳ）、ＣＰＵ２４は、画像読取部１１を制御して、画像読取部１１による画像の読み取り、つまり画像のスキャンを開始させる（Ｓ１２）。スキャンにより得られるスキャンデータは、ＲＡＭ２３に一時的に保持される。
【００３７】
また、スキャン開始に伴い、ＣＰＵ２４は、操作パネル１３の表示部１５に、図４に示されるスキャン中画面５０（読取実行中画面の一例）を表示させる。具体的には、たとえば、送信先指定画面４０でいずれかの送信先指定ボタン（外部装置指定ボタン４１，４２、ＦＴＰサーバ指定ボタン４３またはＵＳＢ指定ボタン４４，４５）が押されると、ＣＰＵ２４は、表示部１５の表示を送信先指定画面４０からスキャン開始ボタンおよび戻るボタンを含む選択画面に切り替える。選択画面でスキャン開始ボタンが押されると、スキャン開始指示が操作部１４に受け付けられて、ＣＰＵ２４は、表示部１５の表示を選択画面からスキャン中画面５０に切り替える。戻るボタンが押されると、ＣＰＵ２４は、表示部１５の表示を選択画面から送信先指定画面４０に戻す。これにより、画像データの送信先を追加して選択可能となる。
【００３８】
スキャン中画面５０には、画像のスキャンに関する設定情報、たとえば、読み取りの解像度、スキャンデータのファイル形式、読み取りのカラーモード（カラー／白黒）の設定およびスキャンデータのファイル名が表示される。また、スキャン中画面５０には、設定情報の下方に、送信先リストの内容が表示される。この表示では、たとえば、送信先が送信先指定画面４０で指定された順番に上から並べられている。
【００３９】
その後、画像のスキャンが完了すると（Ｓ１３：ＹＥＳ）、ＣＰＵ２４は、ＲＡＭ２３に保存されている送信先リストの内容を確認し、送信先リストにＵＳＢメモリ２０が送信先として含まれているかを判別する（Ｓ１４）。
【００４０】
送信先リストにＵＳＢメモリ２０が送信先として含まれている場合（Ｓ１４：ＹＥＳ）、ＣＰＵ２４は、スキャン完了により得られたスキャンデータをＲＡＭ２３からＵＳＢメモリ２０に送信（転送）して保存する（Ｓ１５）。
【００４１】
ＵＳＢメモリ２０へのスキャンデータの保存の開始に応じて、ＣＰＵ２４は、図４に示されるように、表示部１５の表示をスキャン中画面５０から第１メモリ保存中画面６０（メモリ保存中画面の一例）に切り替える。第１メモリ保存中画面６０では、ＵＳＢメモリ２０にスキャンデータを保存中である旨のメッセージが表示される。
【００４２】
また、送信先指定画面４０で２つのＵＳＢ指定ボタン４４，４５が押されて、２つのＵＳＢメモリ２０が送信先として指定された場合には、ＣＰＵ２４は、１つのＵＳＢメモリ２０へのスキャンデータの保存が完了すると、もう１つのＵＳＢメモリ２０へのスキャンデータの保存を開始する。そして、ＣＰＵ２４は、表示部１５の表示を第１メモリ保存中画面６０から第２メモリ保存中画面７０（メモリ保存中画面の一例）に切り替える。第２メモリ保存中画面７０では、１つのＵＳＢメモリ２０（ＵＳＢ１）へのスキャンデータの保存が完了し、そのＵＳＢメモリ２０をＵＳＢインタフェース１８から安全に取り外すことができる旨のメッセージが表示される。
【００４３】
ＵＳＢメモリ２０へのスキャンデータの保存が完了すると、図３に示されるように、ＣＰＵ２４は、送信先リストのうちＵＳＢメモリ２０以外の送信先に、スキャンデータを送信する（Ｓ１６）。なお、スキャンデータの送信は、送信先リストで特定した順番に従って行われる。
【００４４】
ＵＳＢメモリ２０以外の送信先へのスキャンデータの送信の開始に応じて、ＣＰＵ２４は、図４に示されるように、表示部１５の表示を第１メモリ保存中画面６０または第２メモリ保存中画面７０から外部保存中画面８０に切り替える。たとえば、第２メモリ保存中画面７０から外部保存中画面８０に切り替わった場合、外部保存中画面８０では、２つのＵＳＢメモリ２０（ＵＳＢ１，２）へのスキャンデータの保存が完了し、それらのＵＳＢメモリ２０をＵＳＢインタフェース１８から安全に取り外すことができる旨のメッセージが表示される。また、外部保存中画面８０では、ＵＳＢメモリ２０以外の送信先へのスキャンデータの送信によるスキャンデータの保存を行う旨のメッセージが表示される。
【００４５】
そして、外部保存中画面８０が所定時間表示されると、ＣＰＵ２４は、表示部１５の表示を外部保存中画面８０からメニュー画面３０に切り替える。メニュー画面３０では、スキャンデータの送信による保存中、その保存中である旨のメッセージがテキストボックス３４に表示される。メニュー画面３０が表示されることにより、新たなジョブの選択および開始が可能となる。
【００４６】
一方、送信先リストにＵＳＢメモリ２０が送信先として含まれていない場合には（Ｓ１４：ＮＯ）、ＣＰＵ２４は、送信先リストで特定した順番に従って送信する（Ｓ１６）。
【００４７】
すべての送信先へのスキャンデータの送信が完了すると、ＣＰＵ２４は、スキャン処理を終了する。
【００４８】
＜作用効果＞
この構成によれば、ユーザによりスキャンデータの複数の送信先を指定する操作が行われると、その指定の順番に送信先を順序づけた送信先リストが作成される。ＵＳＢメモリ２０が送信先に含まれない場合には、送信先リストから送信先の指定先の順番が特定されて、スキャンデータがその特定された順番に従って複数の送信先に送信される。一方、ＵＳＢメモリ２０が送信先に含まれる場合には、スキャンデータは、送信先リストから特定される順番にかかわらず、まず、ＵＳＢメモリ２０に送信され、その後、ＵＳＢメモリ２０以外の送信先に送信される。そのため、画像読取部１１による画像の読み取りから短時間で、その読み取られたスキャンデータのＵＳＢメモリ２０への送信が完了し、そのスキャンデータが保存されたＵＳＢメモリ２０をユーザが持ち去ることができる。その結果、スキャンデータがＵＳＢメモリ２０に保存されるまで、ユーザがＭＦＰ１から離れられずに長時間待たされることを抑制できる。したがって、ユーザの利便性の向上を図ることができる。
【００４９】
画像読取部１１による画像のスキャン中は、操作パネル１３の表示部１５に画像のスキャン中であることを表すスキャン中画面５０が表示される。その後、スキャンデータのＵＳＢメモリ２０への送信中は、ＵＳＢメモリ２０にスキャンデータを保存中であることを表す第１メモリ保存中画面６０または第２メモリ保存中画面７０が表示される。これにより、ＵＳＢメモリ２０へのスキャンデータの保存中にＵＳＢメモリ２０がＵＳＢインタフェース１８から抜き取られることを抑制でき、ＵＳＢメモリ２０へのスキャンデータの記録不良やスキャンデータの破損の発生を抑制できる。また、ＵＳＢメモリ２０以外の送信先へのスキャンデータの送信中は、操作パネル１３の表示部１５にメニュー画面３０が表示される。そのため、ユーザが新たなジョブを選択して開始させることができ、ユーザの利便性のさらなる向上を図ることができる。
【００５０】
また、２つのＵＳＢメモリ２０が送信先として指定された場合には、１つのＵＳＢメモリ２０へのスキャンデータの保存が完了すると、もう１つのＵＳＢメモリ２０へのスキャンデータの保存が開始される。このとき、表示部１５に第２メモリ保存中画面７０が表示される。第２メモリ保存中画面７０では、スキャンデータの保存が完了したＵＳＢメモリ２０をＵＳＢインタフェース１８から安全に取り外すことができる旨のメッセージが表示される。そのため、別のＵＳＢメモリ２０へのスキャンデータの保存中に、ユーザがスキャンデータの保存が完了したＵＳＢメモリ２０をＵＳＢインタフェース１８から取り外して持ち去ることができる。したがって、ユーザの利便性のさらなる向上を図ることができる。
【００５１】
２．第２実施形態
＜スキャン処理＞
ユーザにより送信先の指定が行われた場合に、図３に示されるスキャン処理に代えて、ＡＳＩＣ２１のＣＰＵ２４により、図５に示されるスキャン処理が実行されてもよい。第１実施形態では、スキャン完了後に指定された送信先にスキャンデータを送信したが、第２実施形態では、ＵＳＢメモリ２０が送信先に含まれる場合は、スキャンを行いつつＵＳＢメモリ２０への送信を行う。
【００５２】
図５のスキャン処理では、ＣＰＵ２４は、スキャン開始ボタンが押されることによるスキャン開始指示が操作パネル１３の操作部１４に受け付けられたか否かを判別する（Ｓ２１）。
【００５３】
スキャン開始指示が操作部１４に受け付けられると（Ｓ２１：ＹＥＳ）、ＣＰＵ２４は、画像読取部１１を制御して、画像読取部１１による画像の読み取り、つまり画像のスキャンを開始させる（Ｓ２２）。画像のスキャンでは、画像読取部１１により、主走査方向（画像読取部１１に備えられるイメージセンサの長手方向）に延びる１ライン分の画像を読取対象として、その読取対象が主走査方向と直交する副走査方向に移動されながら画像が読み取られる。スキャンにより得られるスキャンデータは、その先頭から順にＲＡＭ２３に書き込まれる。
【００５４】
また、スキャン開始に伴い、ＣＰＵ２４は、操作パネル１３の表示部１５に、図６に示されるスキャン・ＵＳＢ保存画面９０（メモリ保存中画面の一例）を表示させる。スキャン・ＵＳＢ保存画面９０の構成は、図４に示されるスキャン中画面５０の構成と同様であり、画像のスキャンに関する設定情報、たとえば、読み取りの解像度、スキャンデータのファイル形式、読み取りのカラーモード（カラー／白黒）の設定およびスキャンデータのファイル名が表示される。また、スキャン・ＵＳＢ保存画面９０には、設定情報の下方に、送信先リストの内容が表示される。この表示では、たとえば、送信先が送信先指定画面４０で指定された順番に上から並べられている。
【００５５】
さらに、ＣＰＵ２４は、ＲＡＭ２３に保存されている送信先リストの内容を確認し、送信先リストにＵＳＢメモリ２０が送信先として含まれているかを判別する（Ｓ２３）。
【００５６】
送信先リストにＵＳＢメモリ２０が送信先として含まれていない場合（Ｓ２３：ＮＯ）、ＣＰＵ２４は、スキャン完了後（Ｓ２８：ＹＥＳ）、送信先リストから送信先指定画面４０での送信先の指定の順番を特定し、スキャンデータをＵＳＢメモリ２０以外の送信先にその特定した順番に従って送信する（Ｓ２７）。
【００５７】
送信先リストにＵＳＢメモリ２０が送信先として含まれている場合（Ｓ２３：ＹＥＳ）、ＣＰＵ２４は、スキャン中に得られるスキャンデータをＲＡＭ２３からＵＳＢメモリ２０に順次に送信（転送）して保存する（Ｓ２４）。
【００５８】
その後、画像のスキャンが完了すると（Ｓ２５：ＹＥＳ）、ＣＰＵ２４は、送信先として指定されているＵＳＢメモリ２０へのスキャンデータの保存が完了したか否かを判別する（Ｓ２６）。２つのＵＳＢメモリ２０が送信先として指定された場合には、ＣＰＵ２４は、１つのＵＳＢメモリ２０へのスキャンデータの保存が完了すると、もう１つのＵＳＢメモリ２０へのスキャンデータの保存を開始する。そして、ＣＰＵ２４は、送信先として指定されているすべてのＵＳＢメモリ２０へのスキャンデータの保存が完了したか否かを判別する。
【００５９】
ＵＳＢメモリ２０へのスキャンデータの保存が完了すると、ＣＰＵ２４は、送信先リストから送信先指定画面４０での送信先の指定の順番を特定し、スキャンデータをＵＳＢメモリ２０以外の送信先にその特定した順番（送信先順位）に従って送信する（Ｓ２７）。
【００６０】
ＵＳＢメモリ２０以外の送信先へのスキャンデータの送信の開始に応じて、ＣＰＵ２４は、図６に示されるように、表示部１５の表示をスキャン・ＵＳＢ保存画面９０から外部保存中画面８０に切り替える。たとえば、２つのＵＳＢメモリ２０が送信先に指定されている場合、外部保存中画面８０では、２つのＵＳＢメモリ２０（ＵＳＢ１，２）へのスキャンデータの保存が完了し、それらのＵＳＢメモリ２０をＵＳＢインタフェース１８から安全に取り外すことができる旨のメッセージが表示される。また、外部保存中画面８０では、ＵＳＢメモリ２０以外の送信先へのスキャンデータの送信によるスキャンデータの保存を行う旨のメッセージが表示される。
【００６１】
そして、外部保存中画面８０が所定時間表示されると、ＣＰＵ２４は、表示部１５の表示を外部保存中画面８０からメニュー画面３０に切り替える。メニュー画面３０では、スキャンデータの送信による保存中、その保存中である旨のメッセージがテキストボックス３４に表示される。メニュー画面３０が表示されることにより、新たなジョブの選択および開始が可能となる。外部保存中画面８０からメニュー画面３０に切り替わる時点で既にスキャンデータの送信が完了している場合には、テキストボックス３４には何も表示されない。
【００６２】
すべての送信先へのスキャンデータの送信が完了すると、ＣＰＵ２４は、スキャン処理を終了する。
【００６３】
＜作用効果＞
図５に示されるスキャン処理が実行される構成においても、図３に示されるスキャン処理が実行される構成と同様の作用効果を奏することができる。
【００６４】
そのうえ、画像のスキャン中にスキャンデータのＵＳＢメモリ２０への保存が開始されるので、スキャン開始からＵＳＢメモリ２０へのスキャンデータの保存が完了するまでの時間を短縮することができる。
【００６５】
＜変形例＞
以上、本発明の２つの実施形態について説明したが、本発明は、さらに他の形態で実施することもできる。
【００６６】
たとえば、前述の実施形態では、ＣＰＵ２４が各処理を実行する場合について説明した。しかしながら、ＡＳＩＣ２１が複数のＣＰＵを備え、複数のＣＰＵが協働して各処理を実行してもよい。
【００６７】
外部メモリの一例としてＵＳＢメモリ２０を用いて説明したが、ＵＳＢメモリに限らない。また、複数の外部メモリが接続可能な場合として、異なる種類の外部メモリが接続されていてもよい。複数の外部メモリが送信先に含まれる場合の送信順として、たとえば、転送速度が速い外部メモリを先に指定して送信してもよい。なお、外部メモリインタフェース（たとえば、ＵＳＢインタフェース１８）に外部メモリ（たとえば、ＵＳＢメモリ２０）が接続されていない場合には、送信先指定画面４０において、外部メモリが指定できないように表示してもよい。
【００６８】
第２実施例では、外部保存中画面８０から所定時間経過後にメニュー画面３０へ切り替えられるが、たとえば、ＵＳＢメモリがＵＳＢインタフェースから取り外された場合にメニュー画面３０に切り替えてもよい。
【００６９】
送信先リストから特定される順番として、送信先指定画面４０でユーザが送信先を指定した順番を例に説明したが、それに限らず、ＭＦＰ１には、予め決められた優先順位（例えば、送信先指定画面４０で表示される順番）が設定されており、選択された送信先について、その予め決められた優先順位にしたがって順番を特定してもよい。
【００７０】
その他、前述の構成には、特許請求の範囲に記載された事項の範囲で種々の設計変更を施すことが可能である。
【符号の説明】
【００７１】
１：ＭＦＰ
１１：画像読取部
１４：操作部
１５：表示部
１６：ＬＡＮインタフェース
１８：ＵＳＢインタフェース
２０：ＵＳＢメモリ
２４：ＣＰＵ
３０：メニュー画面
５０：スキャン中画面
６０：第１メモリ保存中画面
７０：第２メモリ保存中画面
８０：外部保存中画面
９０：スキャン・ＵＳＢ保存画面
【図１】
2019087928.tif 000003
【図２】
2019087928.tif 000004
【図３】
2019087928.tif 000005
【図４】
2019087928.tif 000006
【図５】
2019087928.tif 000007
【図６】
2019087928.tif 000008